(57)【特許請求の範囲】
【請求項１】
機枠と、この機枠に対して第１ヒンジ機構を介して開閉可能に軸支された本体枠と、この本体枠に対して第２ヒンジ機構を介して開閉可能に軸支されたガラス扉とを備えたパチンコ機において、
前記本体枠に前記機枠に対する前記本体枠の開放動作と前記本体枠に対する前記ガラス扉の開放動作とを検知可能な開閉検出手段を設け、
前記開閉検出手段が、上下方向へ延びる軸上に回転可能に積層配置された一対の回転レバーと、これら両回転レバーを前記機枠と前記ガラス扉に向けて互いに逆向きに回動付勢する捩りコイルばねと、いずれか一方の前記回転レバーの軸線方向に沿う上下運動によって作動する検出素子と、前記本体枠に着脱可能に取り付けられたベース部材とを備えていると共に、前記両回転レバーの対向面の少なくとも一方に両者の相対的な回転運動を上下運動に変換する傾斜面が形成されており、
前記ベース部材に設けられた支軸に前記両回転レバーの軸孔と前記捩りコイルばねの巻回部とを挿入すると共に、この捩りコイルばねの前記巻回部から外方へ突出する両腕部をそれぞれ前記回転レバーに掛止めし、かつ、前記検出素子を前記ベース部材に取り付けて一体化したことを特徴とするパチンコ機。
【請求項２】
機枠と、この機枠に対して第１ヒンジ機構を介して開閉可能に軸支された本体枠と、この本体枠に対して第２ヒンジ機構を介して開閉可能に軸支されたガラス扉とを備えたパチンコ機に適用される扉開閉検出装置であって、
上下方向へ延びる支軸を有して前記本体枠に着脱可能に取り付けられるベース部材と、前記支軸に回転可能かつ上下動可能に支持された一対の回転レバーと、これら両回転レバーを前記機枠と前記ガラス扉に向けて互いに逆向きに回動付勢する捩りコイルばねと、前記ベース部材に取り付けられて前記回転レバーの上下運動を検知する検出素子とを備えていると共に、前記両回転レバーの対向面の少なくとも一方に両者の相対的な回転運動を上下運動に変換する傾斜面が形成されていることを特徴とする扉開閉検出装置。
【発明の詳細な説明】
【技術分野】
【０００１】
本発明は、遊技盤を目視可能なガラス扉が本体枠に対して開閉可能に支持されていると共に、この本体枠が機枠に対して開閉可能に支持されているパチンコ機と、このようなパチンコ機に適用される扉開閉検出装置とに関するものである。
【背景技術】
【０００２】
一般的にパチンコ機は、遊技場の島設備に設置される縦長方形状の機枠（外枠）と、この機枠にヒンジ部を介して扉状に開閉可能に取り付けられた本体枠（前面枠）と、この本体枠の内側に収容された遊技盤と、本体枠の前面に別のヒンジ部を介して開閉可能に取り付けられたガラス扉とを備えており、ガラス扉の中央部に形成された開口部には遊技盤を目視可能な透明板が取り付けられている。本体枠の背面には、電装部品の一つである液晶表示装置が取り付けられる他、それ以外の電装部品として遊技に関する制御を行う制御処理装置（制御基板）や、賞球払出装置による賞球の払い出しを制御する払出基板、各部に電力を供給する電源基板、賞球数や扉開閉状態等のパチンコ機に関する各種情報を遊技場のホールコンピュータに出力する外部端子基板等が取り付けられている。
【０００３】
このように概略構成されたパチンコ機において、遊技者がガラス扉や本体枠を無断で開放して不正行為をするのを防止するために、通常は本体枠の背面と前面にそれぞれ検知スイッチを設け、これら２つの検知スイッチの出力信号に基づいて機枠に対する本体枠の開閉状態と本体枠に対するガラス扉の開閉状態とを個別に検知するようにしている。しかしながら、ガラス扉と本体枠の開閉状態を別々の検知スイッチを用いて検出しなければならないため、これら検知スイッチの設置スペースが大きくなったり、各検知スイッチを外部端子基板と電気的に接続するワイヤーハーネス類の引き回しが煩雑になり、コスト高や信頼性の低下を招来するという問題があった。
【０００４】
そこで、従来より、ガラス扉と本体枠の双方が閉じているときには、扉開閉方向の両側から加圧されて該加圧状態を検知し、ガラス扉と本体枠のいずれか一方または双方が開いているときには、片側または両側からの加圧が解除されて該加圧解除状態を検出する検知手段を設け、この検知手段によってガラス扉の開閉状態と本体枠の開閉状態とをそれぞれ検知可能にしたパチンコ機が提案されている（例えば、特許文献１参照）。この検知手段は、本体枠おけるヒンジ部と反対側の自由端側に固定された取付板と、取付板に軸受スリーブを介して前後方向へ移動可能に支持されたプランジャと、プランジャを後方へ弾性付勢するスプリングと、プランジャの前端に当接可能な位置でガラス扉の背面に取り付けられたプッシュスイッチとによって構成されており、本体枠側に配置された取付板とプランジャおよびスプリング等は予め一体化されたユニット部品となっている。
【０００５】
このような検知手段を用いたパチンコ機においては、ガラス扉と本体枠の双方が閉じているとき、プランジャはその後端が機枠に当接することでスプリングの付勢力に抗して前方へ突出しているため、プッシュスイッチのアクチュエータがプランジャの前端に当接して押し込まれ、プッシュスイッチからオン／オフいずれかの信号が出力される。一方、機枠に対して本体枠が開放されると、プランジャはその後端が機枠から離れることでスプリングの付勢力によって後方へ移動し、それに伴ってアクチュエータがプッシュスイッチに内蔵された復帰ばねに付勢されて突出するため、プッシュスイッチからオン／オフの切替信号が出力される。また、閉じられた本体枠に対してガラス扉が開放されると、前方へ突出しているプランジャの前端からアクチュエータが離れるため、この場合もアクチュエータがプッシュスイッチに内蔵された復帰ばねに付勢されて突出し、プッシュスイッチからオン／オフの切替信号が出力される。したがって、プランジャやプッシュスイッチ等で構成される単一の検知手段を用いて、ガラス扉と本体枠の個別の開閉状態を検知することができる。
【先行技術文献】
【特許文献】
【０００６】
【特許文献１】特許第４１５９７２４号公報
【発明の概要】
【発明が解決しようとする課題】
【０００７】
しかしながら、特許文献１に開示された従来のパチンコ機では、取付板にプランジャやスプリング等を組み込んで一体化したユニット部品を本体枠の自由端側に取り付けると共に、ガラス扉の自由端側にプランジャの前端と接離可能なプッシュスイッチを取り付けることによって検知手段が構成されているため、検知手段の部品設置スペースが本体枠とガラス扉の両方に分散されてしまい、ユニット部品やプッシュスイッチをそれぞれの設置位置に取り付ける作業が面倒であるという問題があった。また、検知スイッチであるプッシュスイッチは本体枠の背面側に設けられた外部端子基板にワイヤーハーネス類を用いて電気的に接続しなければならないが、プッシュスイッチがガラス扉の自由端側に設置される関係上、ワイヤーハーネス類をガラス扉の自由端側から基端側のヒンジ部を経由して本体枠の外部端子基板まで引き回す必要があり、ワイヤーハーネス類の引き回し経路が非常に複雑になってしまうという問題もあった。
【０００８】
本発明は、このような従来技術の実情に鑑みてなされたもので、その第１の目的は、本体枠に設けた単一の開閉検出手段によってガラス扉と本体枠の開閉状態を個別に検知することができるパチンコ機を提供することにあり、第２の目的は、そのようなパチンコ機に用いられるユニット化された扉開閉検出装置を提供することにある。
【課題を解決するための手段】
【０００９】
上記した第１の目的を達成するために、本発明は、機枠と、この機枠に対して第１ヒンジ機構を介して開閉可能に軸支された本体枠と、この本体枠に対して第２ヒンジ機構を介して開閉可能に軸支されたガラス扉とを備えたパチンコ機において、前記本体枠に前記機枠に対する前記本体枠の開放動作と前記本体枠に対する前記ガラス扉の開放動作とを検知可能な開閉検出手段を設け、前記開閉検出手段が、上下方向へ延びる軸上に回転可能に積層配置された一対の回転レバーと、これら両回転レバーを前記機枠と前記ガラス扉に向けて互いに逆向きに回動付勢する捩りコイルばねと、いずれか一方の前記回転レバーの軸線方向に沿う上下運動によって作動する検出素子と、前記本体枠に着脱可能に取り付けられたベース部材とを備えていると共に、前記両回転レバーの対向面の少なくとも一方に両者の相対的な回転運動を上下運動に変換する傾斜面が形成されており、前記ベース部材に設けられた支軸に前記両回転レバーの軸孔と前記捩りコイルばねの巻回部とを挿入すると共に、この捩りコイルばねの前記巻回部から外方へ突出する両腕部をそれぞれ前記回転レバーに掛止めし、かつ、前記検出素子を前記ベース部材に取り付けて一体化するという構成にした。
【００１０】
このように構成されたパチンコ機では、ガラス扉と本体枠の双方が閉じているとき、一対の回転レバーはそれぞれ機枠の前面とガラス扉の背面に当接することで初期位置で重なっており、スイッチ等の検出素子から扉閉鎖状態を示す信号が出力される。そして、機枠に対して本体枠が開放動作されると、それまで機枠に当接していた一方の回転レバーが捩りコイルばねの付勢力を受けて軸周りの一方向に回転し、本体枠に対してガラス扉が開放動作されると、それまでガラス扉に当接していた他方の回転レバーが捩りコイルばねの付勢力を受けて軸周りの他方向に回転するため、これら両回転レバーの相対的な回転運動が傾斜面でいずれか一方の回転レバーの上下運動に変換され、当該回転レバーの上下運動によって作動される検出素子から扉開放状態を示す信号が出力される。ここで、開閉検出手段を構成する一対の回転レバーと捩りコイルばねおよび検出素子は全てベース部材に組み込んで１つのユニットとして取り扱うことが可能であるため、このユニット品を本体枠の所定位置に取り付けることにより、単一の開閉検出手段によってガラス扉と本体枠の開閉状態を個別に検知することができ、検出素子に接続されるワイヤーハーネス類の引き回しを本体枠側のみで簡単に行うことができる。
【００１２】
また、上記した第２の目的を達成するために、本発明は、機枠と、この機枠に対して第１ヒンジ機構を介して開閉可能に軸支された本体枠と、この本体枠に対して第２ヒンジ機構を介して開閉可能に軸支されたガラス扉とを備えたパチンコ機に適用される扉開閉検出装置において、上下方向へ延びる支軸を有して前記本体枠に着脱可能に取り付けられるベース部材と、前記支軸に回転可能かつ上下動可能に支持された一対の回転レバーと、これら両回転レバーを前記機枠と前記ガラス扉に向けて互いに逆向きに回動付勢する捩りコイルばねと、前記ベース部材に取り付けられて前記回転レバーの上下運動を検知する検出素子とを備えていると共に、前記両回転レバーの対向面の少なくとも一方に両者の相対的な回転運動を上下運動に変換する傾斜面が形成されている構成とした。
【００１３】
このように構成された扉開閉検出装置では、ベース部材の支軸に挿入した一対の回転レバーに捩りコイルばねの両腕部を掛止めすると共に、スイッチ等からなる検出素子をベース部材の所定位置に取り付けることにより、これら両回転レバーと捩りコイルばねおよび検出素子をベース部材に組み込んで１つのユニット品として取り扱うことができる。そして、このようにユニット化された扉開閉検出装置を本体枠の所定位置に取り付けることにより、単一の扉開閉検出装置によってガラス扉と本体枠の開閉状態を個別に検知することができると共に、検出素子に接続されるワイヤーハーネス類の引き回しを本体枠側のみで行うことができる。
【発明の効果】
【００１４】
本発明のパチンコ機は、機枠に対する本体枠の開放動作と本体枠に対するガラス扉の開放動作とを検知可能な開閉検出手段が本体枠に設けられており、この開閉検出手段が、上下方向へ延びる軸上に回転可能に積層配置された一対の回転レバーと、これら両回転レバーを機枠とガラス扉に向けて互いに逆向きに回動付勢する捩りコイルばねと、いずれか一方の回転レバーの軸線方向に沿う上下運動によって作動する検出素子と、本体枠に着脱可能に取り付けられたベース部材とを備えていると共に、両回転レバーの対向面の少なくとも一方に両者の相対的な回転運動を上下運動に変換する傾斜面が形成されており、これら両回転レバーと捩りコイルばねおよび検出素子が全てベース部材に組み込まれてユニット化されているため、このユニット品を本体枠の所定位置に取り付けることにより、単一の開閉検出手段によってガラス扉と本体枠の開閉状態を個別に検知することができ、スイッチ等からなる検出素子に接続されるワイヤーハーネス類の引き回しを本体枠側のみで行うことができる。
【００１５】
本発明の扉開閉検出装置は、上下方向へ延びる支軸を有して本体枠に着脱可能に取り付けられるベース部材と、この支軸に回転可能かつ上下動可能に支持された一対の回転レバーと、これら両回転レバーを機枠とガラス扉に向けて互いに逆向きに回動付勢する捩りコイルばねと、ベース部材に取り付けられて回転レバーの上下運動を検知する検出素子とを備えていると共に、両回転レバーの対向面の少なくとも一方に両者の相対的な回転運動を上下運動に変換する傾斜面が形成されているため、両回転レバーと捩りコイルばねおよび検出素子をベース部材に組み込んでユニット化した状態で本体枠の所定位置に簡単に取り付けることができ、本体枠への取り付け後はガラス扉と本体枠の開閉状態を個別に検知することができる。
【図面の簡単な説明】
【００１６】
【図１】本発明の実施形態例に係るパチンコ機の斜視図である。
【図２】図１に示すパチンコ機のガラス扉を開放した状態の斜視図である。
【図３】図１に示すパチンコ機のガラス扉と本体枠を開放した状態の斜視図である。
【図４】図１に示すパチンコ機の背面図である。
【図５】図１のパチンコ機に備えられる扉開閉検出装置の斜視図である。
【図６】図５に示す扉開閉検出装置の分解斜視図である。
【図７】図５に示す扉開閉検出装置の平面方向から見た動作説明図である。
【図８】図５に示す扉開閉検出装置の正面方向から見た動作説明図である。
【発明を実施するための形態】
【００１７】
発明の実施の形態について図面を参照して説明すると、図１に示すように、本発明の実施形態例に係るパチンコ機Ｐは、遊技場の島設備に設置される縦長方形状の機枠１と、機枠１に扉状に開閉自在に取り付けられた本体枠２と、本体枠２の前面に扉状に開閉自在に取り付けられたガラス扉３等を備えており、ガラス扉３にはガラスやプラスチック等からなる透明板４が取り付けられている。
【００１８】
図２と図３に示すように、機枠１の左側枠部には上側軸受け体５と下側軸受け体（図示省略）が固着されており、この下側軸受け体よりも下方の左下隅部には大型のスピーカ６が配設されている。一方、本体枠２の左側枠部の上下両端には第１ピン（図示省略）が設けられており、これら両第１ピンを上側軸受け体５と下側軸受け体に軸支することによって、本体枠２を機枠１に対して開閉自在に支持する第１ヒンジ機構が構成されている。
【００１９】
本体枠２の上部内側には遊技盤７が収納されており、この遊技盤７の盤面（前面）は透明板４を透して目視可能となっている。遊技盤７はガイドレール８等によって区画形成された遊技領域９を有しており、詳細な説明は省略するが、遊技領域９には可変表示装置や始動入賞口、一般入賞口、アタッカー装置、遊技釘、風車、アウト口等が設けられている。遊技盤７よりも下方の本体枠２はガラス扉３によって覆い隠される設置部２ｂとなっており、この設置部２ｂ内の下部中央には遊技球を遊技領域９に向けて発射する発射装置１０が配設されている。
【００２０】
本体枠２の右側枠部は第１ヒンジ機構と反対側の自由端側であり、この右側枠部にはシリンダ錠１１ａを有する施錠装置１１が設置されている。図示せぬが、この施錠装置１１は本体枠２の裏面に配置された後部施錠杆と本体枠２の前面に配置された前部施錠杆とを備えており、常態では、施錠装置１１の後部施錠杆により本体枠２が機枠１に対して施錠されると共に、前部施錠杆によりガラス扉３が本体枠２に対して施錠されている。そして、シリンダ錠１１ａの鍵穴に図示せぬ鍵を差し込み、この鍵を一方向（例えば時計回り）へ回動すると、後部施錠杆が上動して本体枠２が開錠されるようになっている。また、シリンダ錠１１ａの鍵穴に差し込んだ鍵を他方向（反時計回り）へ回動すると、前部施錠杆が上動してガラス扉３が開錠されるようになっている。さらに、本体枠２の自由端側の右下隅部には後述する扉開閉検出装置３０が組み込まれており、この扉開閉検出装置３０によって本体枠２の機枠１に対する開閉状態とガラス扉３の本体枠２に対する開閉状態とを個別に検知可能となっている。
【００２１】
ガラス扉３の左側枠部の上下両端には第２ピン（図示省略）が設けられており、これら両第２ピンを本体枠２の左側枠部に突設した上下の支持板２ａに軸支することによって、ガラス扉３を本体枠２対して開閉自在に支持する第２ヒンジ機構が構成されている。
【００２２】
図１に戻り、ガラス扉３には遊技盤７の盤面に対向する大きな開口３ａが開設されており、この開口３ａは透明板４によって塞がれている。ガラス扉３の前面上部には比較的小型のスピーカ１２が左右に１個ずつ配設されており、これらスピーカ１２と前述した大型のスピーカ６とによって遊技に関する様々な効果音を発するようになっている。また、ガラス扉３の前面下部には、遊技盤７の裏面に配設された賞球払出装置（後述する）から払い出された遊技球を収容する上段受皿１３と、上段受皿１３から排出された遊技球を収容する下段受皿１４と、遊技者による押下操作が可能なプッシュ釦１５とが設けられており、上段受皿１２の右側方には発射装置１０の発射強度を調整するための操作ハンドル１６が配設されている。
【００２３】
図４に示すように、このパチンコ機Ｐの背面側には、遊技に関する主要な処理を行う主制御基板１７と、主制御基板１７からの指令を受けて可変表示装置やスピーカ等の各種装置を制御する副制御基板１８と、前記賞球払出装置１９と、主制御基板１７からの指令を受けて賞球払出装置１９を制御する払出制御基板２０と、操作ハンドル１６の回動量に応じて発射装置１０の作動を制御する発射制御基板２１と、扉開閉検出装置３０の検知信号や大当たり回数等の各種情報を遊技場のホールコンピュータに出力する外部端子基板２２等が設けられている。
【００２４】
図５と図６に示すように、前記扉開閉検出装置３０は、上下方向へ延びる支軸３１ａを有するベース部材３１と、支軸３１ａに回転可能かつ上下動可能に支持された下側回転レバー３２および上側回転レバー３３と、これら両回転レバー３２，３３を機枠１とガラス扉３に向けて互いに逆向きに回動付勢する捩りコイルばね３４と、上側回転レバー３３の上下動によって切替動作される検出スイッチ３５とによって構成されており、両回転レバー３２，３３と捩りコイルばね３４および検出スイッチ３５はベース部材３１に組み込まれて１つのユニット部品として構成されている。
【００２５】
ベース部材３１の底面には前記支軸３１ａの他に起立壁３１ｂが立設されており、支軸３１ａの周囲の底面と起立壁３１ｂにはそれぞれストッパ突起３１ｃ，３１ｄが形成されている。また、起立壁３１ｂには一対の取付孔３１ｅが形成されており、これら取付孔３１ｅに図示せぬネジを挿通して本体枠２に螺入することにより、図２と図３に示すように、ベース部材３１を含む扉開閉検出装置３０のユニット部品は本体枠２の右下隅部に取り付けられている。
【００２６】
下側回転レバー３２は、支軸３１ａに挿入される円筒部３２ａと、円筒部３２ａの外周面から外側へ突出する作動翼片３２ｂとを有しており、円筒部３２ａの上端面には２つの傾斜面３２ｃが円周方向に沿って連続的に形成されている。一方の傾斜面３２ｃは円筒部３２ａを二分する半周領域に形成されており、この傾斜面３２ｃは、他方の傾斜面３２ｃの最頂部に隣接する箇所を最底部とし、この最底部から上り勾配で中間の平坦部に向かって延びた後、さらに平坦部から上り勾配で延びて最頂部に至るようなテーパ形状となっている。他方の傾斜面３２ｃは円筒部３２ａの残り半周領域に形成されており、この傾斜面３２ｃは、一方の傾斜面３２ｃの最頂部に隣接する箇所を最底部とし、そこから一方の傾斜面３２ｃと同様のテーパ形状で最頂部に向かって延びている。つまり、これら２つの傾斜面３２ｃは円筒部３２ａの１８０度対向する２箇所を上側に凸の最頂部としており、それぞれの最頂部から中間の平坦部を経て相手側の最頂部に向かって下り勾配で延びるようなテーパ形状となっている。上側回転レバー３３は、支軸３１ａに挿入される円筒部３３ａと、円筒部３３ａの外周面から外側へ突出する作動翼片３３ｂとを有しており、円筒部３３ａの下端面には２つの傾斜面３３ｃが円周方向に沿って連続的に形成されている。これら傾斜面３３ｃは円筒部３２ａを二分する半周領域にそれぞれ形成されており、傾斜面３３ｃは前述した下側回転レバー３２の傾斜面３２ｃを上下逆にしたテーパ形状に形成されている。すなわち、これら２つの傾斜面３３ｃは円筒部３３ａの１８０度対向する２箇所を下側に凸の最頂部としており、それぞれの最頂部から中間の平坦部を経て相手側の最頂部に向かって上り勾配で延びるようなテーパ形状となっている。
【００２７】
下側回転レバー３２の円筒部３２ａと上側回転レバー３３の円筒部３３ａは互いの傾斜面３２ｃ，３３ｃが対向するように支軸３１ａに順次挿入されており、支軸３１ａの上端面にワッシャ３６をネジ３７で固定することによって、両回転レバー３２，３３は支軸３１ａから脱落しないようになっている。ただし、ワッシャ３６の下方には上側回転レバー３３の上下動を許容する遊び（クリアランス）が確保されている。これにより、下側回転レバー３２と上側回転レバー３３の相対的な回転角度が変化したとき、両傾斜面３２ｃ，３３ｃの相対位置が変化して上側回転レバー３３の円筒部３３ａが支軸３１ａに沿って上下動できるようになっている。具体的には、両傾斜面３２ｃ，３３ｃが互いの最頂部を近接させた状態で当接しているとき、上側回転レバー３３は図８（ａ）に示す上方の第１位置まで移動しているが、この状態で下側回転レバー３２と上側回転レバー３３のいずれか一方が回転すると、両傾斜面３２ｃ，３３ｃの最頂部どうしが遠ざかるため、上側回転レバー３３は第１位置から下降して図８（ｃ）に示す下方の第２位置まで移動する。
【００２８】
捩りコイルばね３４は、下側回転レバー３２と上側回転レバー３３の円筒部３２ａ，３３ａの周囲に巻回された巻回部３４ａと、巻回部３４ａの両端から外方へ突出する一対の腕部３４ｂ，３４ｃとを有しており、一方の腕部３４ｂは下側回転レバー３２の作動翼片３２ｂに掛止され、他方の腕部３４ｃは上側回転レバー３３の作動翼片３３ｂに掛止されている。これにより、下側回転レバー３２と上側回転レバー３３は捩りコイルばね３４の弾発力を受けて互いに逆向きに回動付勢され、下側回転レバー３２の付勢方向の回転角度は作動翼片３２ｂが一方のストッパ突起３１ｃに当接することで規制され、上側回転レバー３３の付勢方向の回転角度は作動翼片３３ｂが他方のストッパ突起３１ｄに当接することで規制される。
【００２９】
検出スイッチ３５は本体部３５ａから駆動レバー３５ｂを突出させたマイクロスイッチと呼ばれる検出素子であり、本体部３５ａはベース部材３１の起立壁３１ｂに図示せぬネジを用いて固定される。駆動レバー３５ｂは上側回転レバー３３の作動翼片３３ｂの上面に当接しており、上側回転レバー３３の上下方向の変動によって駆動レバー３５ｂが揺動操作されると、検出スイッチ３５がオン／オフの切替動作を行うようになっている。検出スイッチ３５には図示せぬワイヤーハーネス類が接続され、このワイヤーハーネス類を本体枠２の背面側の外部端子基板２２に接続することにより、検出スイッチ３５の切替信号が外部端子基板２２を介して遊技場のホールコンピュータに取り込まれるようになっている。なお、駆動レバー３５ｂは本体部３５ａ内の図示せぬ復帰ばねによって作動翼片３３ｂと圧接する方向へ付勢されているため、この付勢力を受けて上側回転レバー３３は下方へ付勢されている。また、上側回転レバー３３の回転に伴って駆動レバー３５ｂが円滑に揺動操作されるように、駆動レバー３５ｂと対向する作動翼片３３ｂの上面には円周方向に沿ってテーパが付けられている。
【００３０】
このように構成された扉開閉検出装置３０は、図５に示すように、ベース部材３１に両回転レバー３２，３３と捩りコイルばね３４および検出スイッチ３５等を組み込んでユニット化することができるため、パチンコ機Ｐに取り付ける前の部品管理や搬送時等において１つのユニット部品として取り扱うことができるだけでなく、ベース部材３１を本体枠２にネジ止めすることでパチンコ機Ｐに簡単に組み付けることができる。以下、かかる扉開閉検出装置３０の動作を主として図７と図８に基づいて説明する。
【００３１】
本実施形態例に係るパチンコ機Ｐにおいて、常態では、本体枠２が機枠１に対して閉じられていると共に、ガラス扉３が本体枠２に対して閉じられているため、図７（ａ）に示すように、扉開閉検出装置３０の下側回転レバー３２と上側回転レバー３３の作動翼片３２ｂ，３３ｂはそれぞれ機枠１の前面とガラス扉３の背面に当接し、両作動翼片３２ｂ，３３ｂは捩りコイルばね３４の付勢力に抗して互いに重なる位置（これを初期位置と呼ぶ）で停止している。この場合、図８（ａ）に示すように、下側回転レバー３２と上側回転レバー３３の傾斜面３２ｃ，３３ｃは互いの最頂部を近接させた状態で当接しており、上方の第１位置まで移動した上側回転レバー３３の作動翼片３３ｂによって検出スイッチ３５の駆動レバー３５ｂが押圧されているため、検出スイッチ３５から扉閉鎖状態を示すオン／オフいずれか一方の信号が出力される。
【００３２】
図７（ｂ）に示すように、本体枠２が第１ヒンジ機構を中心に回転しながら機枠１に対して開放動作されると、それまで作動翼片３２ｂを機枠１の前面に当接させていた下側回転レバー３２が捩りコイルばね３４の付勢力によって矢印Ｑ１方向に回転し、作動翼片３２ｂが一方のストッパ突起３１ｃに当接した時点で下側回転レバー３２は停止する。このようにして下側回転レバー３２が初期位置から所定角度（約９０度）だけ回転すると、図８（ｂ）に示すように、下側回転レバー３２の傾斜面３２ｃが上側回転レバー３３の傾斜面３３ｃに対して約９０度回転し、両傾斜面３２ｃ，３３ｃが互いの最頂部を相手側の平坦部に摺接させる位置までずれるため、上側回転レバー３３が傾斜面３３ｃの高さ寸法の約半分程度だけ下降して第２位置まで移動する。その結果、上側回転レバー３３の作動翼片３３ｂが検出スイッチ３５に対して下方へ移動するため、作動翼片３３ｂによる駆動レバー３５ｂの押圧が解除されて検出スイッチ３５が切替動作され、検出スイッチ３５から扉開放状態を示す切替信号が出力される。
【００３３】
また、図７（ｃ）に示すように、ガラス扉３が第２ヒンジ機構を中心に回転しながら本体枠２に対して開放動作されると、それまで作動翼片３３ｂをガラス扉３の背面に当接させていた上側回転レバー３３が捩りコイルばね３４の付勢力によって矢印Ｑ２方向に回転し、作動翼片３３ｂが他方のストッパ突起３１ｄに当接した時点で上側回転レバー３３は停止する。このようにして上側回転レバー３３が初期位置から所定角度（約９０度）だけ回転すると、図８（ｃ）に示すように、上側回転レバー３３の傾斜面３３ｃが下側回転レバー３２の傾斜面３２ｃに対して約９０度回転し、両傾斜面３２ｃ，３３ｃが互いの最頂部を相手側の平坦部に摺接させる位置までずれるため、この場合も上側回転レバー３３が傾斜面３３ｃの高さ寸法の約半分程度だけ下降して第２位置まで移動する。その結果、上側回転レバー３３の作動翼片３３ｂが検出スイッチ３５に対して下方へ移動するため、作動翼片３３ｂによる駆動レバー３５ｂの押圧が解除されて検出スイッチ３５が切替動作され、検出スイッチ３５から扉開放状態を示す切替信号が出力される。
【００３４】
以上説明したように、本実施形態例に係るパチンコ機Ｐでは、機枠１に対する本体枠２の開放動作と本体枠２に対するガラス扉３の開放動作とを検知可能な扉開閉検出装置３０が本体枠２に設置されており、この扉開閉検出装置３０が、上下方向へ延びる支軸３１ａを有するベース部材３１と、支軸３１ａに回転可能かつ上下動可能に支持された下側回転レバー３２および上側回転レバー３３と、これら両回転レバー３２，３３を機枠１とガラス扉３に向けて互いに逆向きに回動付勢する捩りコイルばね３４と、上側回転レバー３３の上下動によって切替動作される検出スイッチ３５とを備えていると共に、下側回転レバー３２と上側回転レバー３３の対向面に両者の相対的な回転運動を上下運動に変換する傾斜面３２ｃ，３３ｃが形成されているため、本体枠２に設置されれた単一の扉開閉検出装置３０によってガラス扉３と本体枠２の開閉状態を個別に検知することができ、検出スイッチ３５と外部端子基板２２との間を接続するワイヤーハーネス類の引き回しを本体枠２側のみで簡単に行うことができる。また、両回転レバー３２，３３と捩りコイルばね３４および検出スイッチ３５をベース部材３１に組み込んでユニット化することにより、扉開閉検出装置３０を１つのユニット部品として取り扱うことができるため、パチンコ機Ｐに取り付ける前の部品管理や部品搬送等が簡単になるだけでなく、パチンコ機Ｐに取り付ける作業も簡単に行うことができる。
【００３５】
なお、上記実施形態例では、下側回転レバー３２と上側回転レバー３３のそれぞれの対向面に傾斜面３２ｃ，３３ｃを形成してあるが、いずれか一方の傾斜面を突起に変更し、この突起を相手側の傾斜面に当接させるようにしても良い。また、傾斜面３２ｃ，３３ｃのテーパ形状も適宜変更可能であり、例えば、途中に平坦部を持たない連続的なテーパ形状にしたり、あるいは下側回転レバー３２の上端面に１２０度毎に３つの傾斜面３２ｃを連続的に形成し、上側回転レバー３３の下端面に同様の傾斜面３３ｃを形成しても良い。
【００３６】
また、上記実施形態例では、上側回転レバー３３の上下動によってマイクロスイッチと呼ばれる検出スイッチ３５を作動させているが、マイクロスイッチの代わりにシーソスイッチやプッシュスイッチ等の他の検出スイッチを用いても良く、検出スイッチの代わりに光学式や磁気式の検出素子を用いることも可能である。
【００３７】
また、上記実施形態例では、扉開閉検出装置３０を本体枠２の右下隅部に取り付けた場合について説明したが、扉開閉検出装置３０の取付位置は本体枠２の自由端側であればどこでも良く、例えば、扉開閉検出装置３０を本体枠２の右上隅部に取り付けてワイヤーハーネス類の引き回し経路を短くすることも可能である。
【符号の説明】
【００３８】
１  機枠
２  本体枠
３  ガラス扉
７  遊技盤
９  遊技領域
１１  施錠装置
２２  外部端子基板
３０  扉開閉検出装置
３１  ベース部材
３１ａ  支軸
３１ｂ  起立壁
３１ｃ，３１ｄ  ストッパ突起
３１ｅ  取付孔
３２  下側回転レバー
３２ａ  円筒部
３２ｂ  作動翼片
３２ｃ  傾斜面
３３  上側回転レバー
３３ａ  円筒部
３３ｂ  作動翼片
３３ｃ  傾斜面
３４  捩りコイルばね
３４ａ  巻回部
３４ｂ，３４ｃ  腕部
３５  検出スイッチ（検出素子）
３５ａ  本体部
３５ｂ  駆動レバー
Ｐ  パチンコ機
【図１】
0005705531.tif 000002
【図２】
0005705531.tif 000003
【図３】
0005705531.tif 000004
【図４】
0005705531.tif 000005
【図５】
0005705531.tif 000006
【図６】
0005705531.tif 000007
【図７】
0005705531.tif 000008
【図８】
0005705531.tif 000009